【手続補正書】
【提出日】平成29年6月21日(2017.6.21)
【手続補正１】
【補正対象書類名】明細書
【補正対象項目名】０１１０
【補正方法】削除
【補正の内容】
【手続補正２】
【補正対象書類名】明細書
【補正対象項目名】０１１３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
フリッカー光源下で撮影を行う際に用いられる撮像装置であって、
被写体をそれぞれ撮像する複数の撮像ユニットと、
前記撮像ユニットの一つのユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第１のフリッカー情報としてメモリに保存する第１のフリッカー検出手段と、
撮影の際、予め定められた判定条件に応じて前記第１のフリッカー情報が有効であるか否かを判定する判定手段と、
前記判定手段によって前記第１のフリッカー情報が有効でないと判定されると、前記撮像ユニットの他のユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第２のフリッカー情報としてメモリに保存する第２のフリッカー検出手段と、
前記第２のフリッカー情報に応じて露光タイミングを制御して撮影を行う第１の制御手段と、
を有することを特徴とする撮像装置。
【請求項２】
前記第２のフリッカー検出手段は、前記判定手段によって前記第１のフリッカー情報が有効であると判定された際、前記第１のフリッカー情報によってフリッカーが存在する場合には、前記フリッカー位相のみを検出して、前記第１のフリッカー情報のフリッカー周期を用いて前記第２のフリッカー情報を得ることを特徴とする請求項１に記載の撮像装置。
【請求項３】
前記第２のフリッカー検出手段は、前記判定手段によって前記第１のフリッカー情報が有効であると判定された際、前記第１のフリッカー情報によってフリッカーが存在しない場合には、前記フリッカー周波数および前記フリッカー位相の検出を行わず、
前記第１の制御手段は、予め設定された露光条件で撮影を行うことを特徴とする請求項１又は２に記載の撮像装置。
【請求項４】
前記第１のフリッカー検出手段は、動画ライブビューを開始する前に前記フリッカー周波数および前記フリッカー位相を検出することを特徴とする請求項１乃至３のいずれか１項に記載の撮像装置。
【請求項５】
前記判定手段は、静止画を撮影する際に前記判定条件に応じて前記第１のフリッカー情報が有効であるか否かを判定することを特徴とする請求項４に記載の撮像装置。
【請求項６】
前記第１のフリッカー情報によってフリッカーが存在しない場合には、シャッター秒時を所定の値に設定して前記動画ライブビューの表示を行う第２の制御手段を有することを特徴とする請求項４又は５に記載の撮像装置。
【請求項７】
記所定の値は前記フリッカー周期の整数倍であることを特徴とする請求項６に記載の撮像装置。
【請求項８】
前記第１のフリッカー検出手段は、前記動画ライブビューを開始する際、前記第２のフリッカー情報が存在すると、当該第２のフリッカー情報を前記第１のフリッカー情報とすることを特徴とする請求項４乃至７のいずれか１項に記載の撮像装置。
【請求項９】
撮像素子と、
所定の周期よりも短い周期で得られた複数の測光値に基づいて、フリッカーの光量変化特性を検出する第１の検出手段と、
前記複数の測光値を取得する際に必要な期間よりも長い期間で前記撮像素子のライン毎に電荷蓄積の開始タイミングを異ならせて得られた参照画像における輝度変化に関する情報に基づいて、前記フリッカーの光量変化特性を検出する第２の検出手段と、
前記複数の測光値に基づいて前記第１の検出手段が検出した前記フリッカーの光量変化特性に関する情報をメモリに記録する記録手段と、
前記撮像素子によって得られる動画に対して、前記フリッカーの影響を抑制する処理を施す処理手段と、
前記フリッカーの光量変化に関する情報が前記メモリに記録されている場合には、前記参照画像を取得せずに、前記メモリに記録された前記フリッカーの光量変化に関する情報に基づいて、前記処理手段に前記フリッカーの影響を抑制する処理を実行させる第１の制御を行う制御手段と、
を有することを特徴とする撮像装置。
【請求項１０】
前記制御手段は、前記フリッカーの光量変化に関する情報が前記メモリに記録されていない場合には、前記参照画像を取得して当該参照画像に基づいて前記第２の検出手段によって前記フリッカーの光量変化特性を検出させ、当該検出されたフリッカーの光量変化特性に基づいて前記処理手段に前記フリッカーの影響を抑制する処理を実行させる第２の制御を行うことを特徴とする請求項９に記載の撮像装置。
【請求項１１】
前記制御手段は、前記フリッカーの光量変化に関する情報が前記メモリに記録されている場合であって、前記メモリに当該フリッカーの光量変化に関する情報が記録されてから経過した時間が所定の閾値以下の場合には、前記第１の制御を行い、前記フリッカーの光量変化に関する情報が前記メモリに記録されている場合であって、前記メモリに当該フリッカーの光量変化に関する情報が記録されてから経過した時間が前記所定の閾値よりも長い場合には、前記第２の制御を行うことを特徴とする請求項１０に記載の撮像装置。
【請求項１２】
前記制御手段は、前記メモリに記録されている前記フリッカーの光量変化に関する情報に基づいてフリッカーが発生していないと判定した場合には、前記処理手段によって前記フリッカーの影響を抑制する処理を実行させないように制御することを特徴とする請求項９乃至１１のいずれか１項に記載の撮像装置。
【請求項１３】
前記制御手段は、前記フリッカーの影響を抑制する処理として、動画を得るための前記撮像素子における電荷の蓄積時間を制御することを特徴とする請求項９乃至１２のいずれか１項に記載の撮像装置。
【請求項１４】
前記処理手段は、前記第１の検出手段が検出した前記フリッカーの光量変化特性に基づいて、前記撮像素子によって得られた静止画に対して前記フリッカーの影響を抑制する処理を実行することを特徴とする請求項９乃至１３のいずれか１項に記載の撮像装置。
【請求項１５】
前記処理手段は、前記第１の検出手段が検出した前記フリッカーの光量変化特性に基づいて、静止画を取得するための前記撮像素子の電荷の蓄積タイミングを制御することを特徴とする請求項１４に記載の撮像装置。
【請求項１６】
前記所定の周期は、１／１２０秒であることを特徴とする請求項９乃至１５のいずれか１項に記載の撮像装置。
【請求項１７】
フリッカー光源下で撮影を行う際に用いられ、被写体をそれぞれ撮像する複数の撮像ユニットを備える撮像装置の制御方法であって、
前記撮像ユニットの一つのユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第１のフリッカー情報としてメモリに保存する第１のフリッカー検出ステップと、
撮影の際、予め定められた判定条件に応じて前記第１のフリッカー情報が有効であるか否かを判定する判定ステップと、
前記判定ステップで前記第１のフリッカー情報が有効でないと判定されると、前記撮像ユニットの他のユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第２のフリッカー情報としてメモリに保存する第２のフリッカー検出ステップと、
前記第２のフリッカー情報に応じて露光タイミングを制御して撮影を行う制御ステップと、
を有することを特徴とする制御方法。
【請求項１８】
撮像素子を備える撮像装置の制御方法であって、
所定の周期よりも短い周期で得られた複数の測光値に基づいて、フリッカーの光量変化特性を検出する第１の検出ステップと、
前記複数の測光値を取得する際に必要な期間よりも長い期間で前記撮像素子のライン毎に電荷蓄積の開始タイミングを異ならせて得られた参照画像における輝度変化に関する情報に基づいて、前記フリッカーの光量変化特性を検出する第２の検出ステップと、
前記複数の測光値に基づいて前記第１の検出ステップで検出した前記フリッカーの光量変化特性に関する情報をメモリに記録する記録ステップと、
前記撮像素子によって得られる動画に対して、前記フリッカーの影響を抑制する処理を施す処理ステップと、
前記フリッカーの光量変化に関する情報が前記メモリに記録されている場合には、前記参照画像を取得せずに、前記メモリに記録された前記フリッカーの光量変化に関する情報に基づいて、前記処理ステップにおいて前記フリッカーの影響を抑制する処理を実行する第１の制御を行う制御ステップと、
を有することを特徴とする制御方法。
【請求項１９】
フリッカー光源下で撮影を行う際に用いられ、被写体をそれぞれ撮像する複数の撮像ユニットを備える撮像装置で用いられる制御プログラムであって、
前記撮像装置が備えるコンピュータに、
前記撮像ユニットの一つのユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第１のフリッカー情報としてメモリに保存する第１のフリッカー検出ステップと、
撮影の際、予め定められた判定条件に応じて前記第１のフリッカー情報が有効であるか否かを判定する判定ステップと、
前記判定ステップで前記第１のフリッカー情報が有効でないと判定されると、前記撮像ユニットの他のユニットを駆動制御して前記被写体像を示す光学像に応じて所定の間隔で複数回の電荷蓄積および電荷読み出し行って複数の画像を得て、当該複数の画像の各々において測光を行って得られた複数の測光値に応じてフリッカー光源のフリッカー周波数およびフリッカー位相を検出して第２のフリッカー情報としてメモリに保存する第２のフリッカー検出ステップと、
前記第２のフリッカー情報に応じて露光タイミングを制御して撮影を行う制御ステップと、
を実行させることを特徴とする制御プログラム。
【請求項２０】
撮像素子を備える撮像装置で用いられる制御プログラムであって、
前記撮像装置が備えるコンピュータに、
所定の周期よりも短い周期で得られた複数の測光値に基づいて、フリッカーの光量変化特性を検出する第１の検出ステップと、
前記複数の測光値を取得する際に必要な期間よりも長い期間で前記撮像素子のライン毎に電荷蓄積の開始タイミングを異ならせて得られた参照画像における輝度変化に関する情報に基づいて、前記フリッカーの光量変化特性を検出する第２の検出ステップと、
前記複数の測光値に基づいて前記第１の検出ステップで検出した前記フリッカーの光量変化特性に関する情報をメモリに記録する記録ステップと、
前記撮像素子によって得られる動画に対して、前記フリッカーの影響を抑制する処理を施す処理ステップと、
前記フリッカーの光量変化に関する情報が前記メモリに記録されている場合には、前記参照画像を取得せずに、前記メモリに記録された前記フリッカーの光量変化に関する情報に基づいて、前記処理ステップにおいて前記フリッカーの影響を抑制する処理を実行する第１の制御を行う制御ステップと、
を実行させることを特徴とする制御プログラム。